(57)【要約】【課題】サブドレンパンの上部に架設されるドレンポンプユニットを効果的な防振構造を介して本体の前面側から容易に取付できるようにした空気調和機を提供する。【解決手段】サブドレンパン６ａ上に、垂直状の第一取付面７ａと、第二取付面７ａ’　と、これらに二辺が固着された水平状の支持面７ｂとからなる支持金具８が設けられる一方、ドレンポンプユニット５を、前記支持面７ｂに設けた固定部７ｄに固定される垂直状の取付部１０と、第一取付孔１１を有して前記支持面７ｂ上に重合される重合面１２とを備えた取付金具１３と、第二取付孔１４を備えた前記支持面７ｂに平行な第一ブラケット１５と、同第一ブラケット１５の先端にＬ字状に連続形成されたドレンポンプ１６を保持する保持部１７を有する第二ブラケットとを備えたブラケット１８と、前記支持面７ｂおよび前記ブラケット１８の間に所定の間隔をもたせて装着される筒状の防振部材２０とで構成した。【選択図】　図３
2004125223.tif 000002
【特許請求の範囲】
【請求項１】
本体を構成するベースと、同ベースに装着された前面パネルと、同前面パネルの上面に設けられた吸込口と、下面に設けられた吹出口とを結ぶ空気通路に熱交換器と、同熱交換器により熱交換された空気を前記吹出口へ送風するクロスフローファンとを設け、前記熱交換器の下部にドレンパンが設けられると共に、同ドレンパンの一側に連続形成されたサブドレンパン上にドレンポンプユニットを架設してなる空気調和機において、
前記サブドレンパン上に、前記ベースの一側に連続形成された前記ドレンパン上と前記サブドレンパン上とを仕切る仕切壁に取り付けられる垂直状の第一取付面と、同第一取付面の後端部に直角状に連続形成された第二取付面と、これら第一取付面および第二取付面に二辺が固着された水平状の支持面とからなる支持金具が設けられる一方、前記ドレンポンプユニットが、前記支持面に設けられた固定部に固定され、排水ホースの一端が取り付けられる垂直状の取付部と、同取付部の下端に連続形成され、第一取付孔を有して前記支持面上に重合される重合面とを備えた取付金具と、前記第一取付孔と同心状の第二取付孔を備えた前記支持面に平行な第一ブラケットと、同第一ブラケットの先端にＬ字状に連続形成され、前記排水ホースの他端を接続したドレンポンプを保持する保持部を有する第二ブラケットとを備えたブラケットと、前記支持面および前記ブラケットの間に所定の間隔をもたせて装着される筒状の防振部材とで構成されてなることを特徴とする空気調和機。
【請求項２】
前記支持金具の支持面に、前記防振部材に対応する逃げ孔を設け、同逃げ孔により前記取付金具の仮位置決めがされるようにしてなることを特徴とする請求項１に記載の空気調和機。
【請求項３】
前記取付部が、前記固定部に対向するねじ孔を備えて複数設けられる一方、同ねじ孔に対応して前記取付金具に挿通孔を設け、同挿通孔を通したねじを前記ねじ孔に螺着して前記取付金具を前記支持金具に本体の前面側から取付けるようにしてなることを特徴とする請求項１に記載の空気調和機。
【発明の詳細な説明】
【０００１】
【発明の属する技術分野】
本発明は、空気調和機に係わり、より詳細には、ドレンパンの上部に設けられるドレンポンプユニットを効果的な防振構造を介して本体の前面側から容易に取付できるようにした構造に関する。
【０００２】
【従来の技術】
従来の空気調和機には、ドレンポンプとドレンホースを予め組み合わせて、ドレンホースをケーシングの側板に固定することなく位置決めでき、ケーシングを容易に固定できると共に、ドレンポンプの振動を吸収できる空気調和機のドレンポンプユニットを提供するため、例えば特開平８−２８５３０５号公報の請求項１に記載された事例として、ドレンポンプと、上記ドレンポンプの排出口に一端が接続されたドレンホースと、ケーシング内に取り付けられると共に、上記ドレンポンプを取り付けるドレンポンプ取付部と、上記ドレンホースの他端が上記ケーシングの側方に突出するように上記ドレンホースを固定するドレンホース固定部とを有する取付台とを備えたことを特徴としたもの、
また、請求項２に記載された事例として、請求項１に記載の空気調和機のドレンポンプユニットにおいて、上記ドレンポンプを上記取付台の上記ドレンポンプ取付部に取り付けるための押さえ部材と、上記ドレンポンプと上記押さえ部材との間と、上記ドレンポンプと上記取付台との間に、夫々設けられた防振部材とを備えたことを特徴としたものがあった（例えば、特許文献１参照。）。
【０００３】
上記請求項１に記載された空気調和機のドレンポンプユニットによれば、ドレンホースをケーシングの側板に固定することなく位置決めでき、ドレンホースの他端をケーシングの側板に取付金具、ねじ等を用いて固定する必要がなく、したがって、このドレンポンプユニットをケーシングに容易に固定できるようになっており、また、上記請求項２に記載された空気調和機のドレンポンプユニットによれば、ドレンポンプの振動を吸収できるようになっている。
【０００４】
しかしながら、上記構成でなる空気調和機のドレンポンプユニットは、空気調和機本体の前面側から容易に取り付けまたは取り外しができる構成ではないことから、例えば壁掛け設置された本体に対するメンテナンス時の作業性が悪くなってしまうという問題点を有していた。
【０００５】
また、上記防振部材はその体積を充分に確保できる反面、防振部材とドレンポンプを覆い被せる筐体によってドレンポンプの反吸い込みを基点とした立体的な回転運動に対して押え込みが大きくなるため、逆に振動を筐体に伝えやすくなってしまうという問題点を有していた。
【０００６】
【特許文献１】
特開平８−２８５３０５号公報（第３頁、第１図乃至第３図）
【０００７】
また、例えば図９で示すように、空気調和機本体内部に設けられた水平状の支持金具８に対し、固定部１７によってドレンポンプ１６を固定した固定金具１８の固定フランジ１８ａ　が固定溝１９を備えた防振部材２０を介してねじ締めによって取り付けられるような場合は、上方に向かってねじ締めする必要があるため作業性が悪いという問題点を有していた。
【０００８】
【発明が解決しようとする課題】
本発明は、上記問題点に鑑み、ドレンパンの上部に設けられるドレンポンプユニットを効果的な防振構造を介して本体の前面側から容易に取付できるようにした空気調和機を提供することを目的とする。
【０００９】
【課題を解決するための手段】
本発明は、上記課題を解決するため、本体を構成するベースと、同ベースに装着された前面パネルと、同前面パネルの上面に設けられた吸込口と、下面に設けられた吹出口とを結ぶ空気通路に熱交換器と、同熱交換器により熱交換された空気を前記吹出口へ送風するクロスフローファンとを設け、前記熱交換器の下部にドレンパンが設けられると共に、同ドレンパンの一側に連続形成されたサブドレンパン上にドレンポンプユニットを架設してなる空気調和機において、
前記サブドレンパン上に、前記ベースの一側に連続形成された前記ドレンパン上と前記サブドレンパン上とを仕切る仕切壁に取り付けられる垂直状の第一取付面と、同第一取付面の後端部に直角状に連続形成された第二取付面と、これら第一取付面および第二取付面に二辺が固着された水平状の支持面とからなる支持金具が設けられる一方、前記ドレンポンプユニットが、前記支持面に設けられた固定部に固定され、排水ホースの一端が取り付けられる垂直状の取付部と、同取付部の下端に連続形成され、第一取付孔を有して前記支持面上に重合される重合面とを備えた取付金具と、前記第一取付孔と同心状の第二取付孔を備えた前記支持面に平行な第一ブラケットと、同第一ブラケットの先端にＬ字状に連続形成され、前記排水ホースの他端を接続したドレンポンプを保持する保持部を有する第二ブラケットとを備えたブラケットと、前記支持面および前記ブラケットの間に所定の間隔をもたせて装着される筒状の防振部材とからなる構成となっている。
【００１０】
また、前記支持金具の支持面に、前記防振部材に対応する逃げ孔を設け、同逃げ孔により前記取付金具の仮位置決めがされるようにした構成となっている。
【００１１】
また、前記取付部が、前記固定部に対向するねじ孔を備えて複数設けられる一方、同ねじ孔に対応して前記取付金具に挿通孔を設け、同挿通孔を通したねじを前記ねじ孔に螺着して前記取付金具を前記支持金具に本体の前面側から取付けるようにした構成となっている。
【００１２】
【発明の実施の形態】
以下、本発明の実施の形態を図面に基づいた実施例として詳細に説明する。
図１は本発明による空気調和機の断面図であり、図２は本発明による空気調和機の説明図で、（Ａ）は斜視図、（Ｂ）は（Ａ）で示すＡ部の斜視図であり、図３は本発明による空気調和機の要部斜視図であり、図４は本発明による空気調和機の要部説明図で、（Ａ）はドレンポンプユニットに前面側の斜視図、（Ｂ）は背面側の斜視図であり、図５はドレンポンプユニット取付用の支持金具の斜視図であり、図６は支持金具にドレンポンプユニットを取り付けた状態を示す前面側の斜視図であり、図７は支持金具にドレンポンプユニットを取り付けた状態を示す背面側の斜視図であり、図８はドレンポンプユニットの取付状態を示す説明図で、（Ａ）は取付後の状態を示し、（Ｂ）は取付前の状態を示す。
【００１３】
本発明による空気調和機は、図１で示すように、所謂シーリングウォール型の本体を構成するベースａの前部に、吸込口１と吹出口２とを上下部に備えた前面カバーｅが装着されている。
【００１４】
前記前面カバーｅは、吸込グリルｄを有する前記吸込口１を備えた上部パネルｂと、前記吹出口２を備えた下部パネルｃとで構成されている。
【００１５】
前記吸込口１と前記吹出口２とを結ぶ空気通路には、前記吸込口１から吸い込まれた空気を熱交換する側面視で逆Ｖ字状に形成された熱交換器３と、ファンモータに連係されたクロスフローファン４とが順次設けられている。
【００１６】
前記熱交換器３の下部には、図５で示すようなドレンパン６が設けられると共に、同ドレンパン６の一側に連続形成されたサブドレンパン６ａ上に、図３で示すようなドレンポンプユニット５が架設され、前記熱交換器３から滴下する凝縮水を受けて強制排水できるようになっている。
【００１７】
なお、前記ドレンポンプユニット５は、図２（Ａ）で示すＡ部のように本体の側部に設けられ、着脱可能な開閉蓋ｆを取り外すことによって視認できるようになっており、また、前記前面カバーｅを取り外すことによって、本体の前面側から取り付けまたは取り外しができるようになっている。
【００１８】
次に、前記ドレンポンプユニット５の構成について説明する。
前記サブドレンパン６ａ上には、図５で示すように、前記ドレンパン６上と前記サブドレンパン６ａ上とを仕切るように前記ベースａの一側に連続形成された仕切壁ａ’に取り付けられる垂直状の第一取付面７ａと、同第一取付面７ａの後端部に直角状に連続形成された第二取付面７ａ’　と、これら第一取付面７ａおよび第二取付面７ａ’　に二辺が固着された水平状の支持面７ｂとからなる支持金具８が設けられている。
【００１９】
前記ドレンポンプユニット５は、図３と、図４（Ａ）および図４（Ｂ）と、図５と、図６と、図７と、図８（Ａ）および図８（Ｂ）とで示すように、前記支持金具８に取り付けられる取付金具１３と、ドレンポンプ１６を保持するブラケット１８と、これら取付金具１３とブラケット１８との間に装着される防振部材２０とで構成されている。
【００２０】
前記取付金具１３は板金製でなり、前記支持面７ｂに設けられた固定部７ｄに固定され、排水ホース９の一端が取り付けられる垂直状の取付部１０と、同取付部１０の下端に連続形成され、第一取付孔１１を有して前記支持面７ｂ上に重合される重合面１２とを備えた構成になっている。
【００２１】
前記ブラケット１８は板金製でなり、前記第一取付孔１１と同心状の第二取付孔１４を備えた前記重合面１２に平行な第一ブラケット１５と、同第一ブラケット１５の一端にＬ字状に連続形成され、前記排水ホース９の他端を接続したドレンポンプ１６を保持する第二ブラケット１７を備えた構成になっている。
【００２２】
そして、前記防振部材２０は弾性を有する合成樹脂製または合成ゴム製により、前記第一取付孔１１および前記第二取付孔１４に取り付けられる取付溝１９を上下部に備えて筒状に形成され、前記重合面１２および前記第一ブラケット１５の間に、図８（Ａ）で示すように所定の間隔ｇをもたせて装着されるようになっている。
【００２３】
前記防振部材２０は、前記重合面１２および前記第一ブラケット１５の間に所定の間隔ｇをもたせて装着されたことにより、前記ドレンポンプ１６の振動を効果的に吸収できる防振構造を形成できる。
【００２４】
以上の構成により、次に空気調和機本体の内部に前記ドレンポンプユニット５を組み付ける手順について説明する。
図３と、図６と、図８（Ａ）および図８（Ｂ）とで示すように、前記支持金具８に備えた支持面７ｂの上面に、前記取付金具１３の重合面１２を本体の前面側からスライドさせるようにして、所謂片もち構造によって容易に、且つ正確に載置する。
【００２５】
その際、前記支持面７ｂには前記防振部材２０に対応する逃げ孔７ｃが設けられており、同逃げ孔７ｃによって前記取付金具１３の仮位置決めがされるようになっている。
【００２６】
次に、図５と、図８（Ａ）および図８（Ｂ）とで示す前記固定部７ｄに、空気調和機本体の前面側から前記取付部１０をねじ締めすることによって、前記ドレンポンプユニット５を容易に固定できるようになっている。
【００２７】
なお、前記固定部７ｄは、図５で示すように、前記取付部１０に対向するねじ孔を備えて複数設けられる一方、同ねじ孔に対応して前記取付金具１３に挿通孔を設け、同挿通孔を通したねじを前記ねじ孔に螺着して、前記取付金具１３を空気調和機本体の前面側から前記支持金具８に容易に、且つ強固に取り付けできるようになっている。
【００２８】
【発明の効果】
以上説明したように、本発明によると、ドレンパンの上部に設けられるドレンポンプユニットを効果的な防振構造を介して本体の前面側から容易に取付できるようにした空気調和機となる。
【図面の簡単な説明】
【図１】本発明による空気調和機の断面図である。
【図２】本発明による空気調和機の説明図で、（Ａ）は斜視図であり、（Ｂ）は（Ａ）で示すＡ部の斜視図である。
【図３】本発明による空気調和機の要部斜視図である。
【図４】空気調和機の要部説明図で、（Ａ）はドレンポンプユニットに前面側の斜視図であり、（Ｂ）は背面側の斜視図である。
【図５】ドレンポンプユニット取付用の支持金具の斜視図である。
【図６】支持金具にドレンポンプユニットを取り付けた状態を示す前面側の斜視図である。
【図７】支持金具にドレンポンプユニットを取り付けた状態を示す背面側の斜視図である。
【図８】ドレンポンプユニットの取付状態を示す説明図で、（Ａ）は取付後の状態を示し、（Ｂ）は取付前の状態を示す。
【図９】従来例による空気調和機の要部説明図である。
【符号の説明】
１　吸込口
２　吹出口
３　熱交換器
４　クロスフローファン
５　ドレンポンプユニット
６　ドレンパン
６ａ　サブドレンパン
７ａ　第一取付部
７ｂ　支持面
７ｃ　逃げ孔
７ｄ　固定部
８　支持金具
９　排水ホース
１０　取付部
１１　第一取付孔
１２　重合面
１３　取付金具
１３ａ　挿通孔
１４　第二取付孔
１５　第一ブラケット
１６　ドレンポンプ
１７　第二ブラケット
１８　ブラケット
１９　取付溝
２０　防振部材
ａ　ベース
ａ’　仕切壁
ｂ　上部パネル
ｃ　下部パネル
ｄ　吸込グリル
ｅ　前面パネル
ｆ　開閉蓋
ｇ　間隔
【図１】
2004125223.tif 000003
【図２】
2004125223.tif 000004
【図３】
2004125223.tif 000005
【図４】
2004125223.tif 000006
【図５】
2004125223.tif 000007
【図６】
2004125223.tif 000008
【図７】
2004125223.tif 000009
【図８】
2004125223.tif 000010
【図９】
2004125223.tif 000011